(57)【要約】【課題】音声入力によって計算が行われる音声入力式計算機を提供する。【解決手段】音声が入力されるマイク３と、マイクからの音声を分析して数字，記号などを識別する音声認識部と、数字，記号などに対応した音声コードを出力する音声データ保存部と、音声認識部より認識された出力が音声コードに一致した時その出力が供給される演算部とを備え、演算部による演算結果を数字などで表示する表示部４および演算結果を音声で出力するスピーカ７を備えている。【選択図】図１
0003181641.tif 000002
【実用新案登録請求の範囲】
【請求項１】
音声が入力されるマイクと、
該マイクからの音声を分析して数字，記号などを識別する音声認識部と、
前記数字，記号などに対応した音声コードを出力する音声データ保存部と、
前記音声認識部より認識された出力が前記音声コードに一致した時その出力が供給される演算部と、
該演算部による演算結果を数字などで表示する表示部で
構成されていることを特徴とする音声入力式計算機。
【請求項２】
前記演算部による演算結果を保存する演算データ保存部を備えている請求項１に記載の音声入力式計算機。
【請求項３】
前記演算部による演算結果を音声で出力するスピーカを備えている請求項１または請求項２に記載の音声入力式計算機。
【請求項４】
電源をＯＮ・ＯＦＦするための手動のＯＮ・ＯＦＦスイッチを備えている請求項１または請求項２または請求項３に記載の音声入力式計算機。
【考案の詳細な説明】
【技術分野】
【０００１】
本考案は、音声入力で計算を行わせる音声入力式計算機に関するものである。
【背景技術】
【０００２】
従来、卓上式の計算機では、複数のキーが備えられており、このキーを指で押して操作することで加減乗除などの計算が行われて、表示部にその結果が表示されるようになっている。
【先行技術文献】
【特許文献】
【０００３】
【特許文献１】特開平６−３５８６２号公報
【考案の概要】
【考案が解決しようとする課題】
【０００４】
従来のキーを操作することにより計算を行わせる計算機では、ショッピングの際に商品等の荷物を持ちながら手で操作する必要があり、ショッピング時等においては使い辛く不便なものであった。
【課題を解決するための手段】
【０００５】
本考案は、ショッピング時等に音声で入力して計算を行わせることのできる音声入力式計算機の提供を目的とし、この目的の少なくとも一部を達成するために以下の手段を採った。
本考案の音声入力式計算機は、
音声が入力されるマイクと、
該マイクからの音声を分析して数字，記号などを識別する音声認識部と、
前記数字，記号などに対応した音声コードを出力する音声データ保存部と、
前記音声認識部より認識された出力が前記音声コードに一致した時その出力が供給される演算部と、
該演算部による演算結果を数字などで表示する表示部で
構成されていることを要旨とする。
【考案の効果】
【０００６】
マイクに向かって、例えば「○○タス○○」のような音声を発すると、音声はマイクから音声認識部に供給されて、音声の分析と音声データ保存部からの音声コードが照合され、音声認識部により認識された出力が音声コードに一致したとき、音声データが演算部に供給されて、演算部で四則演算が行われ、演算結果の数字等が表示部に表示される。そのため、ショッピング時等に音声で入力して表示部に購入商品の合計金額等を表示させることができ、ショッピング時等に購入した商品の合計代金等を正確に知ることができる。
【０００７】
また、本考案の音声入力式計算機において、前記演算部による演算結果を保存する演算データ保存部を備えているものとすることもできる。
こうすれば、演算結果を演算データ保存部で保存することができる。
【０００８】
また、本考案の音声入力式計算機において、前記演算部による演算結果を音声で出力するスピーカを備えているものとすることもできる。
こうすれば、演算結果、即ち、購入商品の合計金額等を耳で聞いて正確に知ることができる。
【０００９】
また、本考案の音声入力式計算機において、電源をＯＮ・ＯＦＦするための手動のＯＮ・ＯＦＦスイッチを備えているものとすることもできる。
こうすれば、必要な時のみ手動でスイッチ操作して電源をＯＮさせることができるものとなる。
【図面の簡単な説明】
【００１０】
【図１】音声入力式計算機の概略平面構成図である。
【図２】音声入力式計算機内に設けられている演算処理部の一例を示す系統図である。
【考案を実施するための形態】
【００１１】
次に、本考案を実施するための形態を実施例を用いて説明する。
図１は、音声入力式計算機の一例を示す概略構成図である。
音声入力式計算機１は、ペンシル型やプレート型等の本体２の先端側にマイク３が内蔵されており、また、本体２に横長状の液晶表示素子で構成された表示部４を備えている。また、本体２の表示部４付近にはスピーカ７が内蔵されており、また、表示部４の図示右側にはキャンセルスイッチ６とＯＮ・ＯＦＦスイッチ５が設けられている。このＯＮ・ＯＦＦスイッチおよびキャンセルスイッチ６は、指で押して手動で操作することができるものである。
【００１２】
この音声入力式計算機１の本体２がペンシン型である場合は、マイク３側を上方に向けて胸ポケット等に差して使用することができるものであり、予めショッピング時等にＯＮ・ＯＦＦスイッチ５を指で押してＯＮさせておけば、商品の金額をマイク３に向かって発することで、商品の合計金額等を表示部４に表示させることができるものである。
【００１３】
この音声入力式計算機１内には、図２に系統図で示す演算処理部が設けられている。
図２において、マイク３には音声識別部８が接続されており、マイク３からの音声入力がこの音声識別部８に供給されて、入力音声の分析と音声データ保存部９からの音声コードが照合され、音声認識部８により認識された出力が音声コードに一致したとき、照合した結果得られる音声データが演算部１０に供給されて、この演算部１０で四則演算が行われるものであり、演算部１０による演算結果は数字などで表示部１２に表示される。また、演算部１０による演算結果をスピーカ７から音声で出力させることもできる。
【００１４】
即ち、音声認識部８は、マイク３からの音声を分析して数字，記号などを識別するものである。また、音声データ保存部９は、数字，記号などに対応した音声コードを出力するものであり、内部に「タス」，「ヒク」，「カケル」，「ワル」などの四則演算に必要な情報が保存されている。
音声認識部８により認識された出力が音声データ保存部９からの音声コードに一致した時、その出力が演算部１０に供給されて、演算部１０で「タス」，「ヒク」，「カケル」，「ワル」で指示された四則演算が行われる。
演算部１０による演算結果は音声データ保存部１１に保存されるとともに、表示部１２において数字などで表示される。また、スピーカ７から演算結果が音声で出力される。
【００１５】
なお、キャンセルスイッチ６を押すとクリアな状態に戻され、新たに使用者がマイク３に向かって吹き込んだ音声に基づき、計算が行われて表示部４に表示され、スピーカ７から音声で演算結果が出力される。
なお、表示部４とスピーカ７の何れか一方を省略した構造とすることもでき、より小型の音声入力式計算機１を構成することができる。
【００１６】
具体的には、使用者がマイク３に向かって、例えば「１１０＋５８０」のような音声を発すると、マイク３からの音声が音声認識部８に伝わり、音声認識部８で音声を分析して数字，記号などを識別する。即ち、１１０，５８０の数字および「タス」の記号などを識別するのである。
【００１７】
また、音声データ保存部９から数字，記号に対応する音声コードが出力され、音声認識部８により認識された出力が音声データ保存部９から出力された音声コードに一致した時に、即ち、照合された結果得られる音声データが演算部１０に供給されて、演算部１０内において「１１０＋５８０」の加算演算が行われ、合計金額が演算される。
この演算された合計金額は、表示部４に数字として表示され、また、スピーカ７から合計金額が音声で出力される。
なお、引算を行わせる際には、○○ヒク○○と音声入力すれば良く、また、掛算を行わせる際には、○○カケル○○と音声入力すれば良く、また、割算を行わせる際には、○○ワル○○と音声入力すれば表示部４にその答えが表示されることとなる。
なお、表示部４には、マイク３に吹き込んだ音声による数字，記号をも表示させることができる。
【００１８】
このようにショッピング時等において、手動でＯＮ・ＯＦＦスイッチ５をＯＮさせておき、マイク３に向かって購入商品の金額等を吹き込むことにより、表示部４に購入した商品の合計金額等を表示させ、また、スピーカ７から合計金額を音声で知らせることができ、従来の計算機のように、指でキーを打ち込む必要がなく、容易に合計金額等を確認することができるものとなる。
【符号の説明】
【００１９】
１  音声入力式計算機
２  本体
３  マイク
４  表示部
５  ＯＮ・ＯＦＦスイッチ
６  キャンセルスイッチ
７  スピーカ
８  音声認識部
９  音声データ保存部
１０  演算部
１１  演算データ保存部
【図１】
0003181641.tif 000003
【図２】
0003181641.tif 000004